(57)【要約】【課題】  使用者の個人差に関係なく長時間装着しても快適な装着感を得られ、かつ、少ない部品数で構成できるヘッドホンを提供する。【解決手段】  ヘッドホンユニットがバンド部材の端部に固定され、ヘッドホンユニットは、ドライバーユニットが固定されるバッフルと、バッフルに固定されるイヤーパッドと、バッフルが固定されるフレームと、を備え、フレームは、円状部と、バンド固定部と、を有し、バンド固定部は、円状部の外周側面から円状部の直径方向外側に突出していて、バンド部材の端部は、バンド固定部に固定される、ヘッドホンによる。【選択図】図１
2015198328.tif 000002
【特許請求の範囲】
【請求項１】
ヘッドホンユニットがバンド部材の端部に固定されているヘッドホンであって、
前記ヘッドホンユニットは、
ドライバーユニットが固定されるバッフルと、
前記バッフルに固定されるイヤーパッドと、
前記バッフルが固定されるフレームと、
を備え、
前記フレームは、円状部と、バンド固定部と、を有し、
前記バンド固定部は、前記円状部の外周側面から前記円状部の直径方向外側に突出していて、
前記バンド部材の端部は、前記バンド固定部に固定される、
ことを特徴とするヘッドホン。
【請求項２】
前記バッフルは、前記円状部の中心軸に直交する軸に対して傾斜する傾斜部を備えている、
請求項１記載のヘッドホン。
【請求項３】
前記ドライバーユニットは、前記バッフルの傾斜部に固定されている、
請求項２記載のヘッドホン。
【請求項４】
前記円状部は、楕円形である、
請求項１または２記載のヘッドホン。
【請求項５】
前記フレームは剛性のある素材で形成されていて、前記バンド部材はバネ性を有する素材で形成されている、
請求項１乃至４記載のヘッドホン。
【請求項６】
前記バンド部材のバネ性と前記フレームの剛性により、前記ヘッドホンの使用者の耳介周辺には、側圧が均等に加わる、
請求項１乃至５記載のヘッドホン。
【請求項７】
前記バンド部材は首掛け型のバンド部材である、
請求項１乃至６記載のヘッドホン。
【発明の詳細な説明】
【技術分野】
【０００１】
本発明は、ヘッドホンに関するものである。
【背景技術】
【０００２】
ヘッドホンには種々のタイプのものが知られている。例えば装着時に、ヘッドホンユニットが使用者の耳を覆う「耳覆い型」や、ヘッドホンユニットが使用者の耳に載せられる「耳載せ型」などがある。耳覆い型と耳載せ型は、いずれも、バンド部材の両端にヘッドホンユニットが固定される。このバンド部材は、長手方向に円弧を描く部材であって、バネ性を備えている。ヘッドホンを装着するときは、バンド部材の端部の距離が広げられる。ヘッドホンユニットを耳介またはその周辺に当てると、バンド部材の復元力によって、使用者の耳介及びその周辺部分に側圧が加わる。この側圧によって、ヘッドホンユニットは、使用者の耳介周辺または耳介上に保持される。
【０００３】
耳覆い型や耳載せ型は、装着時のバンド部材の位置で、さらに大別される。例えば、バンド部材が使用者の頭の上を跨ぐタイプや、バンド部材を使用者の首部に掛けるタイプ（バックバンド型）などが知られている。
【０００４】
使用者の頭部や耳の形状や寸法には、個人差があるので、装着時に好適な側圧の大きさも使用者によって様々である。側圧はバンド部材のバネ性を元にしているから、例えば、バンド部材に対して使用者の頭部が小さすぎると、側圧が弱すぎることになる。側圧が弱いと、音漏れやずれ落ちの原因となる。また、バンド部材に対して使用者の頭部が大きすぎると、側圧が強すぎることになる。側圧が強すぎると、使用者の耳介及びその周囲部分を圧迫することになり、使用感が不快なものになる。
【０００５】
上記のようなヘッドホンの使用感を解決するヘッドホンが知られている（例えば、特許文献１を参照）。しかし、特許文献１のヘッドホンは、使用者の個人差に対応して、かつ、好ましい使用感が得られる状態を継続して維持することが難しい。そこで、本願の出願人は、個人差に関わらず装着感を向上させることができ、かつ、音漏れと感度の低下を防止するヘッドホンを発明し、先に出願した（特許文献２を参照）。
【先行技術文献】
【特許文献】
【０００６】
【特許文献１】特開平１１−２７７７８号公報
【特許文献２】特開２００８−２８３２８１号公報
【発明の概要】
【発明が解決しようとする課題】
【０００７】
特許文献２のヘッドホンは、使用者の個人差に対応して装着感を向上させて、音漏れを防止することもできる。しかし、バンド部材がハウジングの中央部分で固定されるので、側圧がこの中央部分の一点から加えられるようになる。そうすると、使用者における装着感は、ヘッドホンユニットが一点から強く押し付けられるように感じ、装着感を低下させる。また、特許文献２は、構造が複雑になり、部品点数も多くなる。したがって、特許文献２のヘッドホンには、多数の工夫する余地がある。
【課題を解決するための手段】
【０００８】
本発明は、上記の課題に鑑みたものであって、使用者の個人差に関係なく長時間装着しても快適な装着感を得られ、かつ、少ない部品数で構成できるヘッドホンを提供することを目的とする。
【０００９】
本発明は、ヘッドホンユニットがバンド部材の端部に固定されているヘッドホンであって、前記ヘッドホンユニットは、ドライバーユニットが固定されるバッフルと、前記バッフルに固定されるイヤーパッドと、前記バッフルが固定されるフレームと、を備え、前記フレームは、円状部と、バンド固定部と、を有し、前記バンド固定部は、前記円状部の外周側面から前記円状部の直径方向外側に突出していて、前記バンド部材の端部は、前記バンド固定部に固定される、ことを最も主な特徴とする。
【発明の効果】
【００１０】
本発明によれば、使用者の個人差に関係なく長時間装着しても快適な装着感を得られ、かつ、少ない部品数で構成できる。
【図面の簡単な説明】
【００１１】
【図１】本発明に係るヘッドホンの全体形状の例を示す斜視図である。
【図２】上記ヘッドホンの詳細な構成の例を示す分解斜視図である。
【図３】上記ヘッドホンの一部の断面形状の例を示す断面図である。
【図４】本発明に係るヘッドホンの使用状態の例を示す図である。
【発明を実施するための形態】
【００１２】
以下、本発明の実施例について、図面を参照しながら説明する。図１は、本実施例に係るヘッドホン１００の全体形状を示す斜視図である。
【００１３】
図１に示されるように、ヘッドホン１００は、ヘッドホンユニット１と、バンド部材２と、を有してなる。ヘッドホンユニット１は、バンド部材２の両端部にそれぞれ固定されている。使用者が装着していない状態のヘッドホン１００は、バンド部材２の形状に倣って、ヘッドホンユニット１の端部同士が近づいた状態になっている。使用者が装着する状態では、ヘッドホン１００は、バンド部材２の端部間の距離が広げられた状態になっている。言い換えるとヘッドホンユニット１同士の距離が広げられた状態になっている。
【００１４】
バンド部材２は、バネ性を備える金属または樹脂により形成される部材である。バンド部材２は、長手方向に円弧を描く外形を有している。ヘッドホン１００を装着するときは、使用者がヘッドホンユニット１を把持してバンド部材２の円弧を広げる。そうすると、ヘッドホンユニット１には、バンド部材２のバネ性によって端部同士を近づけようとする復元力が働く。すなわち、装着時のヘッドホンユニット１は、バンド部材２が形成する円弧の内側に向かう力によって付勢される。この力が使用者の側頭部に側圧を与える。この側圧によって、ヘッドホンユニット１は、所定の位置で保持される。
【００１５】
次に、ヘッドホンユニット１の詳細な構成について、図２を用いて説明する。図２は、主に片側のヘッドホンユニット１の詳細な構成を示す分解斜視図である。すでに説明したとおり、ヘッドホン１００は、ヘッドホンユニット１と、バンド部材２と、を有してなる。また、図２に示されるように、ヘッドホンユニット１は、フレーム１０と、バッフル２０と、ドライバーユニット３０と、イヤーパッド４０と、フレームキャップ５０と、を有してなる。
【００１６】
フレーム１０は、ヘッドホンユニット１の筐体（ハウジング）を構成する部材であって、剛性のある素材から形成される。フレーム１０の素材に用いるものは、例えば、固い樹脂材である。
【００１７】
フレーム１０は、大きく異なる２つの形状が一体的に形成されている。フレーム１０は、円状部１１と、バンド固定部１２と、を有してなる。円状部１１は、所定の深さを有する円形の皿状であって、底部が抜けている様な形状からなる。別の表現とすれば、円状部１１は、ドーナツ形状からなる部材を厚さ方向で分割し、一方の内側を繰り抜いたような形状を有している。
【００１８】
フレーム１０を皿状の部材として捉えると、フレーム１０の外周縁部から底部までが内部空間になる。また、フレーム１０を分割されたドーナツ状の部材として捉えると、同様に、分割面側を繰り抜いて形成された空間が、内部空間になる。この内側空間は、ドライバーユニット３０とバッフル２０が配置されて固定されるようになっている。したがって、内側空間の深さは、ドライバーユニット３０とバッフル２０が配置される寸法に相当する。
【００１９】
バンド固定部１２は、円状部１１の外周側面の一部が、円状部１１の外周の直径方向外側に突出した様な形状を有している。バンド固定部１２は、バンド部材２の端部を配置可能な深さを有している。バンド固定部１２と円状部１１には継ぎ目はなく、フレーム１０にとして、円状部１１とバンド固定部１２は一体的に形成されている。
【００２０】
バンド部材２の端部は、バンド部材２が有するバネ性の部材に連なる部材が、バンド部材２の外皮から突出した状態になっている。この突出した部分がフレーム結合部３である。フレーム結合部３は、バネ性のある部材と同じ金属でもよいし、バネ性のある部材に結合されている剛性部材でもよい。
【００２１】
バンド固定部１２は、フレーム結合部３を三方向から囲むようになっている。バンド固定部１２の開放面には、バンド固定部材１３が嵌合される。すなわち、フレーム結合部３は、バンド固定部１２とバンド固定部材１３によって四方を囲まれて、フレーム１０に結合される。
【００２２】
言い換えると、バンド部材２の端部であるフレーム結合部３が、バンド固定部１２とバンド固定部材１３によって挟持され、バンド固定部１２から抜けなくなる。これによって、バンド部材２とフレーム１０が結合される。このように、フレーム１０とバンド部材２は固定される。
【００２３】
バッフル２０は、外形が円板状の部材であって、外縁部２１と、傾斜部２２と、を有してなる。外縁部２１は、バッフル２０の直径方向の平面による外周縁部である。傾斜部２２は、外縁部２１に対して傾斜した部分であって、外縁部２１と一体的に連なっている。言い換えると、傾斜部２２は、バッフル２０の外周部分である外縁部２１の中心軸に直交する軸に対して傾斜している。
【００２４】
傾斜部２２には、多数の音孔（貫通孔）が形成されている。図３に示すように、ドライバーユニット３０は、バッフル２０のフレーム１０側の傾斜部２２に固定される。ドライバーユニット３０の放音部である振動板は、傾斜部２２に対向している。したがって、ドライバーユニット３０から出力された音声は、傾斜部２２の音孔を通過して外部に出力される。
【００２５】
ドライバーユニット３０は、図示しない振動板と、振動板を駆動する磁気回路と、磁気回路に電気信号を加える配線と、有してなる。ドライバーユニット３０は、放音手段であって、電気信号に応じて振動板が駆動され、振動板の駆動によって音声を出力電気音響変換器である。
【００２６】
イヤーパッド４０は、外部からの押圧によって変形可能なクッション性を有する部材からなる。イヤーパッド４０は、例えば、ウレタンフォームなどを合成皮革からなる外装膜で包んだものである。イヤーパッド４０は、バッフル２０の外縁部２１に固定されていて、装着時に使用者の耳介または耳介周辺部に押し付けられる部材である。イヤーパッド４０のバッフル２０への固定は、例えば、接着剤などが用いられる。
【００２７】
フレームキャップ５０は、フレーム１０の底部の孔を塞ぐ部材である。フレーム１０の底部の孔は、バッフル２０をフレーム１０に固定する場合や、ドライバーユニット３０の調整を行う場合に、作業しやすくするために設けられている。フレームキャップ５０は、製造の最終工程において、フレーム１０の内部に異物が侵入することを防ぐために取り付けられる。
【００２８】
次に、ヘッドホン１００の構成と効果について、さらに説明する。図３は、ヘッドホン１００の一部の断面形状を示す断面図である。図３の断面図は、片側のヘッドホンユニット１と、これに結合するバンド部材２の一部を、フレーム１０とバッフル２０を径方向に切断した場合の縦断面図である。
【００２９】
図３に示されるように、ドライバーユニット３０が固定されたバッフル２０は、その外縁部２１とフレーム１０の円状部１１の外周縁を一致させて固定されている。また、バッフル２０の直径寸法と略同寸法の直径を有するイヤーパッド４０が、バッフル２０の外縁部２１に固定されている。
【００３０】
上記のように、バンド部材２にフレーム１０を固定すると、バンド部材２のバネ性とフレーム１０の剛性によって発生する側圧は、イヤーパッド４０を介して使用者の耳介周辺部全体に対し、均等に加わる。この場合、イヤーパッド４０を介して加わる側圧の方向は、図３の紙面右方向である
【００３１】
なお、フレーム１０の円状部１１の形状は、楕円形であることが望ましい。これに合わせて、イヤーパッド４０の外形も楕円形であることが望ましい。イヤーパッド４０が楕円形であれば、耳介の周囲を覆うようにイヤーパッド４０が耳介周囲に接触し、側圧がより均等に加わる。これによって、さらに、快適な装着感を与えることができる。
【００３２】
イヤーパッド４０を楕円形にする場合、たとえば、ヘッドホン１００が首かけ型であれば、バンド部材２の長手方向に対して、イヤーパッド４０とフレーム１０の長径が交差するようになる。言い換えると、フレーム１０の長径が、装着時の使用者の耳の長手方向に沿った方向となる。
【００３３】
図３に示されるように、バッフル２０の傾斜部２２は、フレーム１０の円状部１１の円形部分平面に対して傾斜している。図３において、バッフル２０とイヤーパッド４０が最も離間している箇所近傍からバンド固定部１２が突出している。たとえば、ヘッドホン１００が首掛け型であれば、バンド固定部１２の突出方向は、使用者の後頭部側である。
【００３４】
図４は、ヘッドホン１００の使用状態の例を示す図である。図４に示すようにヘッドホン１００は、例えば、首掛け型（バックバンド型）である。首かけ型であるヘッドホン１００は、使用者の頭部に装着されるとき、バンド部材２が首後部を回りこむ形で、使用者の首に掛かり、耳介位置においてヘッドホンユニット１に側圧が加えられる。
【００３５】
ドライバーユニット３０は、傾斜部２２に沿って固定されているので、イヤーパッド４０が使用者の耳介周辺部に対向する面に対して、振動板が傾斜している。ヘッドホン１００を使用者が装着するときは、左右のヘッドホンユニット１の間が広げられる。そうすると、図３において、ヘッドホンユニット１がバンド部材２の頂部を支点として紙面左側に回転移動し、ドライバーユニット３０の振動板は、使用者の外耳道に向かって正対するようになる。このように、装着時の振動板と使用者の耳との位置関係を踏まえて、予め、ドライバーユニット３０をバンド部材２とヘッドホンユニット１の接合部分の接線に対して傾斜させてある。
【００３６】
以上説明したヘッドホン１００は、長時間装着しても使用者が快適な装着感を得られ、かつ、少ない部品数で構成できる
【００３７】
また、ヘッドホン１００は、イヤーパッド４０の全体に均等に側圧が加わるので、長時間装着しても使用者が疲労感を覚えにくい。
【００３８】
また、ヘッドホン１００は、フレーム１０の寸法を耳介の周囲を最小サイズにすることで、軽量化を図ることができる。これによって、バンド部材２により加えられる側圧が弱くても、ヘッドホンユニット１がズレ落ちることなく、所定の位置で保持される。
【００３９】
また、ヘッドホン１００は、ヘッドホンユニット１の全体を保持する構造を使用者の耳元に近いフレーム１０のみで完結できる。これによって、ヘッドホンユニット１を薄型にすることができ、ヘッドホン１００全体として、装着時の見た目も良好であるから、意匠性に優れている。
【００４０】
さらに、ヘッドホン１００は、部品の点数を従来のものに比べて大幅に減らすことができるので、製造コスト的にも有利である。
【００４１】
また、本発明に係るヘッドホンは、首掛け型に限られるものではなく、バンド部材２が使用者の頭部上方を跨ぐタイプにも適用可能である。
【符号の説明】
【００４２】
１    ヘッドホンユニット
２    バンド部材
１０  フレーム
１１  円状部
１２  バンド固定部
２０  バッフル
３０  ドライバーユニット
４０  イヤーパッド
５０  フレームキャップ
【図１】
2015198328.tif 000003
【図２】
2015198328.tif 000004
【図３】
2015198328.tif 000005
【図４】
2015198328.tif 000006